(57)【要約】      （修正有）【課題】物品の保管部を有し、遊技場等に設置された場合に、遊技者の携帯品を盗難されないように防止しうる椅子を提供する。【解決手段】座部１２と、この座部とは別個に形成され、上記座部の後端部を被覆しうる背もたれ部１３と、座部を載置面上に支持する脚部１４とを有するパーラー用椅子１１であって、上記背もたれ部の下端部であって上記座部の後方側には凹部１５からなる収納空間部１６が設けられている。上記収納空間部は、上記座部の厚さ方向全域に亘ると共に、座部上方に開口するように形成されている。上記背もたれ部の両側には高さ方向に沿って、上記収納空間部の幅方向両側部を被覆しうると共に着座者の背中を両側から保持しうるサポート部１７，１８が設けられている。【選択図】図１
0003129452.tif 000002
【実用新案登録請求の範囲】
【請求項１】
座部と、この座部とは別個に形成され、上記座部の後端部を被覆しうる背もたれ部と、座部を載置面上に支持する脚部とを有するパーラー用椅子であって、
上記背もたれ部の下端部であって上記座部の後方側には凹部からなる収納空間部が設けられていることを特徴とするパーラー用椅子。
【請求項２】
上記収納空間部は、上記座部の厚さ方向全域に亘ると共に、座部上方に開口するように形成されていることを特徴とする請求項1記載のパーラー用椅子。
【請求項３】
上記背もたれ部は、下端部が座部後方に向かって膨出するように湾曲形成され、背もたれ部の背中当接面よりも後方において上記収納空間部が形成されていることを特徴とする請求項２記載のパーラー用椅子。
【請求項４】
上記背もたれ部の両側には高さ方向に沿って、上記収納空間部の幅方向両側部を被覆しうると共に着座者の背中を両側から保持しうるサポート部が設けられており、手荷物を上記収納空間部に収納した状態で着座者が着座した場合には、収納した手荷物が視認できないように構成されていることを特徴とする請求項１〜３のいずれか1項に記載のパーラー用椅子。
【請求項５】
上記座部及び背もたれ部が、合成樹脂により型成形されていることを特徴とする請求項１〜４のいずれか1項に記載のパーラー用椅子。
【考案の詳細な説明】
【技術分野】
【０００１】
本考案はパーラー用椅子、特に、遊技場等に設置され、遊技中に遊技者の携帯品等を盗難されないように保管しうるパーラー用椅子に関する。
【背景技術】
【０００２】
パチンコ台やスロット台を設置してある遊技場を利用する人は多いが、最近は女性の遊技者の数も増加している。女性の場合は、ハンドバッグなどを携帯して遊技場へ来る人が多いが、パチンコ台やスロット台の前の椅子に座った場合、携帯したハンドバッグ等を保管しうる適当な場所がなかった。
そこで、多くの女性遊技者は、椅子の傍の床の上などにハンドバッグ等を置いて、遊技しなければならなかった。
【０００３】
女性遊技者が遊技に熱中すると、床に置いたハンドバッグ等の存在を忘れがちになる傾向がある。したがって、椅子の背後からハンドバッグ等が持ち去られても気付きにくく、遊技中にハンドバッグ等が盗難されるという事件も多い。
【０００４】
本出願人は上記の不具合を解消しうるパーラー用椅子について調査したが、関連する先行技術文献を見出すことはできなかった。
【考案の開示】
【考案が解決しようとする課題】
【０００５】
そこで本考案の課題は、物品の保管部を有し、遊技場等に設置された場合に、遊技者の携帯品を盗難されないように防止しうるパーラー用椅子を提供することにある。
【課題を解決するための手段】
【０００６】
上記課題を解決するために、本考案に係るパーラー用椅子は、座部と、この座部とは別個に形成され、上記座部の後端部を被覆しうる背もたれ部と、座部を載置面上に支持する脚部とを有するパーラー用椅子であって、上記背もたれ部の下端部であって上記座部の後方側には凹部からなる収納空間部が設けられていることを特徴とする。
【０００７】
すなわち、本考案に係る上記パーラー用椅子は、パーラーに遊びに行った遊技者が、パチンコ台やスロット台で遊ぶ場合に、自分が着座する椅子の背もたれ部の下端部に形成されている上記凹部からなる上記収納空間部にハンドバッグ等の手荷物を収納して、遊技中、保管することができる。
また、上記収納空間部は座部の後方側に設けられていることから、遊技者の背中の後方位置に手荷物が保管され、遊技の邪魔にならない。
【０００８】
また、本考案に係る上記パーラー用椅子にあっては、上記収納空間部は、上記座部の厚さ方向全域に亘ると共に、座部上方に開口するように形成されていることを特徴とする。
【０００９】
すなわち、本考案に係る上記パーラー用椅子は、上記収納空間部が上記座部の厚さ方向全域に亘って設けられていることから、上記収納空間部として十分な容積をとることができる。また、上記収納空間部は上記座部上方に開口していることから、上記収納空間部に対し手荷物を収納しやすく、かつ取り出しやすい。
【００１０】
また、本考案に係るパーラー用椅子にあっては、上記背もたれ部は、下端部が座部後方に向かって膨出するように湾曲形成され、背もたれ部の背中当接面よりも後方において上記収納空間部が形成されていることを特徴とする。
従って、本考案に係るパーラー用椅子にあっては、背もたれ部の背中当接面よりも後方側において上記収納空間部が形成されることから、着座する遊技者の着座姿勢には全く影響を与えることなく、ハンドバッグ、クラッチバッグ等の小型の手荷物を容易に収納することができる。
【００１１】
また、本考案に係る上記パーラー用椅子にあっては、上記背もたれ部の両側には高さ方向に沿って、上記収納空間部の幅方向両側部を被覆しうると共に着座者の背中を両側から保持しうるサポート部が設けられており、手荷物を上記収納空間部に収納した状態で着座者が着座した場合には、収納した手荷物が視認できないように構成されていることを特徴とする。
【００１２】
すなわち、本考案に係る上記パーラー用椅子は、着座者の背中を両側から保持するために上記サポート部が設けられているが、このサポート部は上記背もたれ部に形成された上記収納空間部を側方から視認できないように隠蔽する機能も付与されている。
また、本考案に係る上記パーラー用椅子にあっては、上記座部及び背もたれ部が、合成樹脂により型成形されていることを特徴とする。
【００１３】
すなわち、本考案に係る上記パーラー用椅子は、主な素材として合成樹脂が使用され、型成形により容易に成形することができる。
【考案の効果】
【００１４】
請求項１記載の本考案に係るパーラー用椅子は、座部と、この座部とは別個に形成され、上記座部の後端部を被覆しうる背もたれ部と、座部を載置面上に支持する脚部とを有するパーラー用椅子であって、上記背もたれ部の下端部であって上記座部の後方側には凹部からなる収納空間部が設けられていることから、
遊技者が遊技場に遊びに来て、パチンコ台やスロット台の前のパーラー用椅子に着座する場合に、携帯してきたハンドバッグ等の手荷物を上記背もたれ部に形成された上記凹部からなる収納空間部に挿入して保管することができ、かつ上記座部に遊技者が着座することにより、上記収納空間部が遊技者の背中で隠れ、上記手荷物は視認できなくなるので、他人が携帯品等を上記凹部から抜き取ることが不可能になる。
これにより、従来のように、遊技者が仕方なく、パーラー用椅子の傍の床の上などにハンドバッグ等を置く必要がなくなる。したがって、遊技者が遊技に熱中して、床に置いたハンドバッグ等の存在を忘れ、椅子の背後からハンドバッグ等が持ち去られるというような盗難事件の発生を防止することができる。
【００１５】
請求項２記載の本考案に係るパーラー用椅子は、上記収納空間部は、上記座部の厚さ方向全域に亘ると共に、座部上方に開口するように形成されていることから、上記収納空間部は十分な容積を有し、遊技者の手荷物が大きくかつ多量であっても、遊技者の手荷物を殆ど収納して保管することができる。また、座部の上方の開口部から上記収納空間部に手を挿入できるので、手荷物の収納や取り出しが容易である。
【００１６】
また、請求項３記載の考案に係るパーラー用椅子にあっては、本考案に係るパーラー用椅子にあっては、背もたれ部の背中当接面よりも後方側において上記収納空間部が形成されることから、着座する遊技者の着座姿勢には全く影響を与えることなく、ハンドバッグ、クラッチバッグ等の小型の手荷物を容易に収納することができるため、遊技者は快適に椅子を利用して遊技を行うことができる。
請求項４記載の本考案に係るパーラー用椅子は、上記背もたれ部の両側には高さ方向に沿って、上記収納空間部の幅方向両側部を被覆しうると共に着座者の背中を両側から保持しうるサポート部が設けられており、手荷物を上記収納空間部に収納した状態で着座者が着座した場合には、収納した手荷物が視認できないように構成されていることから、
上記サポート部と、上記座部に着座した遊技者の背中とにより、背もたれ部に形成された上記収納空間部が確実に隠蔽されることになる。したがって、上記収納空間部に挿入された手荷物も第三者が覗き見ることは殆ど不可能であり、第三者による盗難の予防効果が顕著である。
【００１７】
請求項５記載の本考案に係るパーラー用椅子は、上記座部及び背もたれ部が、合成樹脂により型成形されていることから、成形が容易で、製造コストを低減することができる。
また、上記凹部からなる上記収納空間部が設けられた上記背もたれ部が、例えば布等の素材で形成された場合は、背後から背もたれ部をナイフ等で切断されることにより上記収納空間部の背面部が開口されて収納された手荷物が抜き取られるという心配があるが、本考案における背もたれ部は合成樹脂で成形されていることから、ナイフ等で切断される可能性が低く、安全性が高い。
【考案を実施するための最良の形態】
【００１８】
以下、図面を用いて本発明の実施の形態について説明する。
本実施の形態に係るパーラー用椅子１１は、図１及び図２に示すように、座部１２と、この座部１２とは別個に形成され、上記座部１２の後端部を被覆しうる背もたれ部１３と、座部１２を載置面３１上に支持する脚部１４とを有するパーラー用椅子１１であって、上記背もたれ部１３の下端部であって上記座部１２の後方側には凹部１５からなる収納空間部１６が設けられている。
【００１９】
また、図２に示すように、上記背もたれ部１３は、下端部が座部１２の後方に向かって膨出するように湾曲形成され、背もたれ部１３の背中当接面３０よりも椅子の後方側において上記収納空間部１６が形成されている。また、上記収納空間部１５は、上記座部１２の厚さ方向全域に亘ると共に、座部１２上方に開口するように形成されている。
【００２０】
また、図１に示すように、上記背もたれ部１３の両側には高さ方向に沿って、上記収納空間部１６の幅方向両側部を被覆しうると共に着座者の背中を両側から保持しうるサポート部１７，１８が設けられており、手荷物を上記収納空間部１６に収納した状態で着座者が着座した場合には、収納した手荷物が視認できないように構成されている。
【００２１】
また、上記座部１２及び背もたれ部１３は、合成樹脂により型成形されている。
【実施例１】
【００２２】
図は実施例に係るパーラー用椅子１１を示したものである。本実施例に係るパーラー用椅子１１は、パーラーと称され、パチンコ台やスロット台が設置されている遊技場に装備され、パーラーに遊びに来た遊技者がパチンコ台やスロット台の前に着座するために使用されるように形成されている。
【００２３】
上記パーラー用椅子１１は、図１に示すように、座部１２と、背もたれ部１３と、脚部１４とを有し、上記脚部１４は1本脚構造で、上記脚部１４の下端鍔部１９が床に固定されるように構成されている。
【００２４】
図１及び図２に示すように、上記座部１２と上記背もたれ部１３は、別個に形成され、上記背もたれ部１３は上記座部１２の後端部を被覆するように配置されている。
【００２５】
図１及び図２に示すように、上記背もたれ部１３には、下端部において椅子後方へ膨出する膨出部３２が形成され、この膨出部３２の内部に、ハンドバッグ等の遊技者の手荷物を挿入して保管しうる収納空間部１６が設けられている。
また、上記背もたれ部１３の背中当接面３１よりも後方側において上記収納空間部１６が形成されている。
【００２６】
図１及び図２に示すように、上記収納空間部１６は、上記背もたれ部１３の下端部において、椅子後方側へ膨出して形成された凹部１５として形成されている。また、上記収納空間部１６は、上記座部１２の後方に配置されている。
【００２７】
図２に示すように、上記収納空間部１６は、上記座部１２の厚さ方向全域に亘って設けられている。また、上記収納空間部鵜１６の上半部は、上記座部１２の上面部２０より上方に位置している。したがって、上記収納空間部１６の上半部は上記座部１２より上方に位置して、前方に開口している。
【００２８】
図１に示すように、上記背もたれ部１３の両側には高さ方向に沿ってサポート部１７，１８が設けられている。上記サポート部１７，１８は、上記背もたれ部１３の前面部２１より前方へ膨出するように形成されている。
【００２９】
また、図１に示すように、上記サポート部１７，１８は、上記背もたれ部１３に設けられた上記収納空間部１６の幅方向両側部を被覆しうるように形成されている。
【００３０】
また、図１に示すように、上記サポート部１７，１８は、上記背もたれ部１３の前面部２１に寄り掛かる着座者の背中を両側から保持しうるように形成されている。
【００３１】
したがって、遊技者が手荷物を上記収納空間部１６に収納した状態で、上記座部１２に着座した場合には、上記サポート部１７，１８と遊技者の背中によって、上記収納空間部１６に収納された手荷物は確実に隠蔽され、第三者は全く視認することができない。
【００３２】
図２に示す上記座部１２の主体部２２と、上記背もたれ部１３の主体部２３は、ともに合成樹脂により型成形されている。すなわち、上記背もたれ部１３の主体部２３は、下端部に上記凹部１５を形成するために、下端部が後方へ膨出するように形成されている。
【００３３】
また、図２に示すように、上記座部１２の主体部２２と、上記背もたれ部１３の主体部２３には、所要箇所に金属製の細長い板状の補強部材２４，２５が固定されている。
また、図２に示すように、上記座部１２と上記背もたれ部１３において、人の身体と接触する部位にはクッション部材２６，２７が配置され、表面は外装部材２８，２９により被覆されている。
【００３４】
以下に、上記実施例の作用について説明する。
パーラーに遊びに来た遊技者は、パチンコ台やスロット台の前に装備された上記パーラー用椅子１１に着座して遊技することになる。
遊技者はハンドバッグ等の手荷物を持参するのが一般的であり、その手荷物の保管場所が必要となる。この保管場所が無いと、遊技者はパーラー用椅子の傍らの床の上などに仕方なく置くことになるので、盗難される虞がある。
上記実施例のパーラー用椅子１１は、遊技者の手荷物が盗難されることを防止しうるように考案されたものである。
すなわち、上記実施例に係るパーラー用椅子１１は、背もたれ部１３の下端部であって座部１２の後方側に設けられた上記凹部１５からなる収納空間部１６に、ハンドバッグ等の遊技者の手荷物を収納して保管することができる。
【００３５】
また、上記収納空間部１６は、上記背もたれ部１３の下端部において、椅子後方側へ膨出して形成された凹部１５として形成されていることから、着座する遊技者の着座姿勢には全く影響を与えることなく、ハンドバッグ、クラッチバッグ等の小型の手荷物を容易に収納することができるため、遊技者は快適に椅子を利用して遊技を行うことができる。
また、上記座部１２の厚さ方向全域に亘ると共に、座部１２上方に開口するように形成されているので、手荷物が大きく多量であっても、それらを確実に収納しうる十分な容積を有することができ、手荷物の出し入れも容易で、使い易い。
【００３６】
また、上記背もたれ部１３の両側には高さ方向に沿って、上記収納空間部１６の幅方向両側部を被覆しうると共に着座者の背中を両側から保持しうるサポート部１７，１８が設けられていることから、手荷物を上記収納空間部１６に収納した状態で着座者が着座した場合には、上記サポート部と着座者の背中とにより、上記収納空間部１６に収納された手荷物は完全に隠蔽された状態になり、第三者が視認することは不可能である。したがって、第三者による盗難防止効果が顕著である。
【００３７】
また、上記座部１２及び背もたれ部１３の主体部２２，２３は、合成樹脂により型成形されるので、上記収納空間部１６の形成も容易であり、低コストで製造することができる。
【産業上の利用可能性】
【００３８】
本考案は、パーラーに装備される椅子に適用可能である。
【図面の簡単な説明】
【００３９】
【図１】本考案の実施例に係るパーラー用椅子の斜視図である。
【図２】本考案の実施例に係るパーラー用椅子の断面図である。
【符号の説明】
【００４０】
１１  パーラー用椅子
１２  座部
１３  背も垂れ部
１４  脚部
１５  凹部
１６  収納空間部
１７  サポート部
１８  サポート部
１９  鍔部  
２０  上面部
２１  前面部
２２  座部の主体部
２３  背もたれ部の主体部
２４  補強部材
２５  補強部材
２６  クッション部材
２７  クッション部材
２８  外装部材
２９  外装部材
３０  載置面
３１  背中当接面
３２  膨出部
【図１】
0003129452.tif 000003
【図２】
0003129452.tif 000004